(57)【要約】【課題】浴槽上面に被せた状態で浴槽内を十分に視認することができ、透明感、奥行感、立体感があって美麗かつ斬新な意匠性を付与できると共に、簡単な構造で製作が容易であって製作コストを低減でき、十分な強度を確保することができ、汚れが付着した際の清掃、除去をスムーズに行い得る浴槽蓋を提供する。【解決手段】蓋本体部５を、互いに離間して平行状に配置された２枚の透明合成樹脂板２、３と、隣り合う透明合成樹脂板２、３の間にこれらを連結する態様で一体成形された平行状の多数の隔壁４とを備えた中空押出成形体で構成すると共に、蓋本体部５の周縁部に、該周縁部の下面から上面にかけて覆う態様で軟質材からなる縁取部材６を接着、溶着等により水密状態に接合一体化する。【選択図】　図２
2004041408.tif 000002
【特許請求の範囲】
【請求項１】
蓋本体部が、
互いに離間して平行状に配置された少なくとも２枚の透明合成樹脂板と、隣り合う透明合成樹脂板の間にこれらを連結する態様で一体成形された平行状の多数の隔壁とを備えた中空押出成形体からなり、
前記蓋本体部の周縁部に、該周縁部の下面から上面にかけて覆う態様で軟質材製の縁取部材が水密状態に接合一体化されていることを特徴とする浴槽蓋。
【請求項２】
前記縁取部材が、接着又は溶着により前記蓋本体部の周縁部に水密状態に接合一体化されている請求項１に記載の浴槽蓋。
【請求項３】
蓋本体部が、
互いに離間して平行状に配置された少なくとも２枚の透明合成樹脂板と、隣り合う透明合成樹脂板の間にこれらを連結する態様で一体成形された平行状の多数の隔壁とを備え、該隔壁により内部が多数の平行する中空部に仕切られた中空押出成形体からなり、
前記中空部の両端部に合成樹脂が水密状態に充填されると共に、前記蓋本体部の周縁部に、該周縁部の下面から上面にかけて覆う態様で軟質材製の縁取部材が取り付けられていることを特徴とする浴槽蓋。
【請求項４】
蓋本体部が、
互いに離間して平行状に配置された少なくとも２枚の透明合成樹脂板と、隣り合う透明合成樹脂板の間にこれらを連結する態様で一体成形された平行状の多数の隔壁とを備え、該隔壁により内部が多数の平行する中空部に仕切られた中空押出成形体からなり、
前記蓋本体部の開口両端面に封止シート材が接合されて、該蓋本体部の開口両端面が水密状態に閉塞されると共に、前記蓋本体部の周縁部に、該周縁部の下面から上面にかけて覆う態様で軟質材製の縁取部材が取り付けられていることを特徴とする浴槽蓋。
【請求項５】
蓋本体部が、
互いに離間して平行状に配置された少なくとも２枚の透明合成樹脂板と、隣り合う透明合成樹脂板の間にこれらを連結する態様で一体成形された平行状の多数の隔壁とを備え、該隔壁により内部が多数の平行する中空部に仕切られた中空押出成形体からなり、
前記蓋本体部の周縁部に、該周縁部の下面から上面にかけて覆う態様で軟質材製の縁取部材が取り付けられると共に、前記各中空部が前記透明合成樹脂板に設けられた通水孔を介して外気に連通するものとなされていることを特徴とする浴槽蓋。
【請求項６】
前記隔壁が透明合成樹脂からなり、前記縁取部材が不透明の軟質材からなる請求項１〜５のいずれか１項に記載の浴槽蓋。
【請求項７】
前記透明合成樹脂板及び前記隔壁がポリカーボネートからなる請求項１〜６のいずれか１項に記載の浴槽蓋。
【請求項８】
前記縁取部材が熱可塑性エラストマーからなる請求項１〜７のいずれか１項に記載の浴槽蓋。
【請求項９】
前記隔壁が前記透明合成樹脂板に対して略直交する態様で一体成形されている請求項１〜８のいずれか１項に記載の浴槽蓋。
【発明の詳細な説明】
【０００１】
【発明の属する技術分野】
この発明は、美麗かつ斬新な意匠性を有すると共に十分な強度を備えた浴槽蓋に関する。
【０００２】
【従来の技術】
従来より、浴槽蓋としては、不透明な材料（合成樹脂等）からなる平板状の蓋本体部の周縁部に縁取部材が接着一体化された構成のものが公知である。しかし、このような従来の浴槽蓋は、蓋本体部が不透明であるために、これを浴槽上面に被せた状態で、浴槽内における水の有無の確認、その量の確認を行うことができないという問題、即ち浴槽内の水の有無の確認等を行うのにその度毎に浴槽蓋を持ち上げて浴槽内を覗き込むという煩雑な作業を行わなければならないという問題があった。
【０００３】
そこで、特開平１１−８９７３６号公報には、透明な蓋板の上面に、内部に数個の補強用リブが左右方向へ適宜間隔に有する中空で透明な膨出部を前後方向へ複数本並列に配設し、これらの１本おきか複数本おきの膨出部又は全部の膨出部の内部に補強材を左右側面から挿入してキャップで密閉してなる浴槽蓋が提案されている。この浴槽蓋では、蓋板、膨出部のいずれもが透明であるから、前記問題は確実に解消される。即ち、この浴槽蓋を浴槽上面に被せた状態でそのまま浴槽内の水の有無の確認、その量の確認を行うことができる。
【０００４】
【発明が解決しようとする課題】
しかしながら、上記透明浴槽蓋には次のような問題があった。即ち、上記透明浴槽蓋では、浴槽蓋としての強度を確保するために、蓋板や膨出部とは全く別体である補強材を膨出部の内部に挿入配置せしめて、更にこれをキャップで密閉するという工程を経なければならず、製作が煩雑なものになるという問題があった。また、前記補強材としてはステンレス製の丸棒が用いられているので、透明な膨出部の内部に構造部材である補強材が外観されるものとなって、透明性から得られていた優れた意匠性が顕著に損なわれるという問題もあった。更に、浴槽蓋の全体の強度を確保するために、畝状の膨出部の内部に複数個の補強用リブ及び補強材（ステンレス製丸棒）を配置することが必要であり、このように２種類の補強部材を配設しなければならず、構造的に複雑なものになり、製作に時間がかかるし、製作コストも高く付くという問題もあった。加えて、蓋板の上面に畝状の膨出部が並列に配設されて、これら膨出部間に凹部が形成されており、このように浴槽蓋の上面において浴槽蓋の厚さに匹敵する程度の大きな凹部が形成されているので、これら凹部に汚れが付着した際には汚れの清掃、除去をスムーズに行い難いという問題もあった。
【０００５】
この発明は、かかる技術的背景に鑑みてなされたものであって、浴槽上面に被せた状態で浴槽内を十分に視認することができ、透明感、奥行感、立体感があって美麗かつ斬新な意匠性を付与できると共に、簡単な構造で製作が容易であって製作コストを低減することができ、また十分な強度を確保することができ、かつ汚れが付着した際の清掃、除去をスムーズに行い得る浴槽蓋を提供することを目的とする。
【０００６】
【課題を解決するための手段】
上記目的を達成するために、本発明者は鋭意研究の結果、蓋本体部が、互いに離間して平行状に配置された少なくとも２枚の透明合成樹脂板と、隣り合う透明合成樹脂板の間にこれらを連結する態様で一体成形された平行状の多数の隔壁とを備えた中空押出成形体からなる構成とし、かつこの蓋本体部の周縁部に、該周縁部の下面から上面にかけて覆う態様で軟質材製の縁取部材を取り付けた構成を採用することによって、上記所望の浴槽蓋が得られることを見出した。しかし、このような構成の浴槽蓋を実際に使用した場合には、蓋本体部の隔壁により仕切られた各中空部内に水又は水蒸気が侵入して、透明合成樹脂板や隔壁に水滴が付着したり、曇りが生じたりして視認性が低下すると共に、透明感、奥行感、立体感も低下して意匠としての美麗さが損なわれるという問題を抱えていることが判明した。
【０００７】
そこで、本発明者はさらに研究を重ねた結果、更に次のような構成を具備せしめることによって上記水滴付着、曇り発生を解消できることを見出すに至り、この発明を完成した。第１の付加構成は、蓋本体部の周縁部に対して、縁取部材を、接着、溶着等により水密状態に接合一体化する構成であり、第２の付加構成は、隔壁により仕切られた各中空部の両端部に合成樹脂を水密状態に充填した構成であり、また第３の付加構成は、蓋本体部における中空部の開口両端面に封止シート材を接合して該開口両端面を水密状態に閉塞した構成であり、また第４の付加構成は、各中空部が透明合成樹脂板に設けられた通水孔を介して外気に連通された構成である。
【０００８】
即ち、この発明に係る浴槽蓋（第１発明の浴槽蓋）は、蓋本体部が、互いに離間して平行状に配置された少なくとも２枚の透明合成樹脂板と、隣り合う透明合成樹脂板の間にこれらを連結する態様で一体成形された平行状の多数の隔壁とを備えた中空押出成形体からなり、前記蓋本体部の周縁部に、該周縁部の下面から上面にかけて覆う態様で軟質材製の縁取部材が水密状態に接合一体化されていることを特徴とする。なお、本構成において、縁取部材は、接着又は溶着（融着）により蓋本体部の周縁部に水密状態に接合一体化されているのが、接合耐久性をより向上できる点で、好ましい。
【０００９】
また、この発明の別の浴槽蓋（第２発明の浴槽蓋）は、蓋本体部が、互いに離間して平行状に配置された少なくとも２枚の透明合成樹脂板と、隣り合う透明合成樹脂板の間にこれらを連結する態様で一体成形された平行状の多数の隔壁とを備え、該隔壁により内部が多数の平行する中空部に仕切られた中空押出成形体からなり、前記中空部の両端部に合成樹脂が水密状態に充填されると共に、前記蓋本体部の周縁部に、該周縁部の下面から上面にかけて覆う態様で軟質材製の縁取部材が取り付けられていることを特徴とする。
【００１０】
また、この発明のさらに別の浴槽蓋（第３発明の浴槽蓋）は、蓋本体部が、互いに離間して平行状に配置された少なくとも２枚の透明合成樹脂板と、隣り合う透明合成樹脂板の間にこれらを連結する態様で一体成形された平行状の多数の隔壁とを備え、該隔壁により内部が多数の平行する中空部に仕切られた中空押出成形体からなり、前記蓋本体部の開口両端面に封止シート材が接合されて、該蓋本体部の開口両端面が水密状態に閉塞されると共に、前記蓋本体部の周縁部に、該周縁部の下面から上面にかけて覆う態様で軟質材製の縁取部材が取り付けられていることを特徴とする。
【００１１】
また、この発明のさらに別の浴槽蓋（第４発明の浴槽蓋）は、蓋本体部が、互いに離間して平行状に配置された少なくとも２枚の透明合成樹脂板と、隣り合う透明合成樹脂板の間にこれらを連結する態様で一体成形された平行状の多数の隔壁とを備え、該隔壁により内部が多数の平行する中空部に仕切られた中空押出成形体からなり、前記蓋本体部の周縁部に、該周縁部の下面から上面にかけて覆う態様で軟質材製の縁取部材が取り付けられると共に、前記各中空部が前記透明合成樹脂板に設けられた通水孔を介して外気に連通するものとなされていることを特徴とする。
【００１２】
上記第１〜４発明に係る浴槽蓋は、いずれも蓋本体部を構成する合成樹脂板が透明であるから、浴槽上面に被せた状態で浴槽内を十分に視認することができ、従って例えば浴槽内の水の有無の確認等を行うのにその度毎に本浴槽蓋を持ち上げて浴槽内を覗き込むという煩雑な作業を行わなくて済み、非常に便利である。また、透明合成樹脂板を用いているから、透明感があって意匠としての美しさを付与できるのは勿論のこと、本浴槽蓋を特に斜め上方から見た際に隔壁も外観されるものとなって、これにより十分な奥行感、立体感が十分に付与されて美麗かつ斬新な意匠性を付与できると共に、見る角度によって隔壁の見え方が変化して奥行感が変わるので非常に興趣性のある意匠を構成することができ、これら作用が相俟って美麗かつ斬新で興趣性のある意匠を付与できる。また、２枚の透明合成樹脂板が平行状の隔壁によって連結された簡単な構成であると共に、これらが押出による一体成形で製作されるので、製造効率を向上できるし、製作コストも低減できる利点がある。また、平行状に配置された少なくとも２枚の透明合成樹脂板が平行状の多数の隔壁によって連結された構成であるので、浴槽蓋全体として十分な強度を確保することができる。さらに、本浴槽蓋では、前記従来技術のような畝状膨出部間にできた大きな凹部（浴槽蓋の厚さに匹敵する程度の大きな凹部）が存在しないので、汚れが付着した際の清掃、除去をスムーズに行い得る。
【００１３】
また、第１〜第３発明では、隔壁により仕切られた中空部内に水や水蒸気が侵入しないような構成が採用されているので、透明合成樹脂板や隔壁に水滴が付着したり、曇りを生じるようなことがなく、十分な視認性を確保できると共に、水滴付着による意匠性の低下も防止できる。第４発明では、各中空部内に侵入した水や水蒸気を外に逃がすための通水孔が設けられているので、透明合成樹脂板や隔壁に曇りを生じるようなことがなく、十分な視認性を確保できると共に、曇りによる意匠性の低下も防止できる。
【００１４】
この発明の浴槽蓋において、隔壁は透明合成樹脂からなるのが好ましく、これにより透明感がさらに向上して意匠性がさらに向上する。また、縁取部材は不透明の軟質材からなるのが好ましく、これにより蓋本体部を構成する透明合成樹脂板の透明性とのコントラストが強く現出されて、意匠としての美麗さ及び斬新性が一層向上されるものとなる。
【００１５】
また、透明合成樹脂板及び隔壁はポリカーボネートからなるのが好ましく、これにより光の透過率がより増大されて透明性が一層向上されるし、耐衝撃性に優れたものとなる。
【００１６】
また、縁取部材は熱可塑性エラストマーからなるのが好ましく、このような構成を採用すれば、縁取部材が圧縮弾性変形しやすいものとなるから、本浴槽蓋を持ち上げたりする動作等を行った際に例えば浴槽室内壁面に接触させるようなことがあってもこれを傷付けることを防止できるし、本浴槽蓋を落下させた場合にも蓋本体部の割れ、破損等の損傷の発生を効果的に防止できる。中でも、縁取部材はスチレン系熱可塑性エラストマーからなるのがより好ましい。
【００１７】
また、隔壁は、透明合成樹脂板に対して略直交する態様で一体成形されているのが好ましい。略直交態様とすることで浴槽蓋としての強度を一層向上させることができる。
【００１８】
【発明の実施の形態】
図１及び図２に、第１発明に係る浴槽蓋の一実施形態を示す。これらの図において、（５）は蓋本体部、（６）は縁取部材である。
【００１９】
図２に示すように、蓋本体部（５）は、互いに離間して平行状に配置された上下２枚の透明合成樹脂板（２）（３）と、これら一対の透明合成樹脂板（２）（３）の間にこれらを連結する態様で一体成形された平行状の多数の透明隔壁（４）…とを備えてなる。この蓋本体部（５）の内部は、これら透明隔壁（４）…により多数の平行する中空部（１０）…に仕切られている。本実施形態の蓋本体部（５）は、押出成形によって透明合成樹脂板（２）（３）と平行状の多数の透明隔壁（４）…とが一体成形されたものである。このような押出成形によって得られた中空成形体を平面視略矩形状に切り出すと共に、その四隅部のうち隣り合う二箇所を曲線的に切り出すことによって、前記蓋本体部（５）が製作される（図１参照）。なお、本実施形態では、透明合成樹脂板（２）（３）、透明隔壁（４）…は、いずれも着色されている（勿論透明性は維持されている）のでカラフルであり、優れた意匠性を付与できる。
【００２０】
前記蓋本体部（５）の周縁部には、該周縁部の下面から側面を経て上面にかけて覆う態様で軟質材からなる縁取部材（６）が水密状態に接合一体化されている。即ち、前記縁取部材（６）は、図２に示すように、断面略コの字形状に形成されて、蓋本体部（５）の周縁部の下面から側面を経て上面にかけて覆いうるものとなされている。このように蓋本体部（５）の周縁部に縁取部材（６）が水密状態に接合一体化されているので、隔壁（４）…により仕切られた中空部（１０）…内に水や水蒸気が侵入することが確実に防止され、透明合成樹脂板（２）（３）や隔壁（４）に水滴が付着するようなことがないし、これら（２）（３）（４）に曇りが生じるようなこともない。
【００２１】
前記蓋本体部（５）の周縁部に前記縁取部材（６）を水密状態に接合一体化する具体的手段としては、特に限定されるものではないが、例えば接着、溶着（融着）等を例示できる。中でも、接着又は溶着（融着）により接合一体化するのが、接合強度を十分に確保できて接合耐久性を向上できる点で、好ましい。
【００２２】
次に、図３〜図５及び図２に、第２発明に係る浴槽蓋の一実施形態を示す。これらの図において、（５）は蓋本体部、（６）は縁取部材である。なお、図３におけるＣ−Ｃ線の断面図は、前出の図２と同一である。
【００２３】
図２に示すように、蓋本体部（５）は、互いに離間して平行状に配置された上下２枚の透明合成樹脂板（２）（３）と、これら一対の透明合成樹脂板（２）（３）の間にこれらを連結する態様で一体成形された平行状の多数の透明隔壁（４）…とを備えてなる。この蓋本体部（５）の内部は、これら透明隔壁（４）…により多数の平行する中空部（１０）…に仕切られている。本実施形態の蓋本体部（５）は、押出成形によって透明合成樹脂板（２）（３）と平行状の多数の透明隔壁（４）…とが一体成形されたものである。このような押出成形によって得られた中空成形体を平面視略矩形状に切り出すと共に、その四隅部のうち隣り合う二箇所を曲線的に切り出すことによって、前記蓋本体部（５）が製作される（図１参照）。なお、本実施形態では、透明合成樹脂板（２）（３）、透明隔壁（４）…は、いずれも着色されている（勿論透明性は維持されている）のでカラフルであり、優れた意匠性を付与できる。
【００２４】
図４、５に示すように、前記中空部（１０）…の両端部（１０ａ）（１０ａ）には合成樹脂（７）が水密状態に充填されている。即ち、中空部（１０）…の両端部は、合成樹脂からなる充填シール部（７）…によって水密状態に封止されている。このように中空部（１０）…の両端部（１０ａ）（１０ａ）が水密状態に封止されているので、中空部（１０）…内に水や水蒸気が侵入することが確実に防止され、透明合成樹脂板（２）（３）や隔壁（４）に水滴が付着するようなことがないし、これら（２）（３）（４）に曇りが生じることもない。
【００２５】
前記充填シール部（７）は、例えば、槽に入れた溶融合成樹脂中に蓋本体部（５）の端部を浸漬した後、合成樹脂を硬化させることによって形成できる。
【００２６】
前記充填シール部（７）を構成する合成樹脂、即ち前記中空部（１０）…の両端部を水密状態に封止するための合成樹脂としては、特に限定されず、例えばポリウレタン、エポキシ樹脂、ポリエステル、アクリル樹脂等が挙げられる。
【００２７】
前記蓋本体部（５）の周縁部には、該周縁部の下面から側面を経て上面にかけて覆う態様で軟質材からなる縁取部材（６）が接合一体化されている。即ち、前記縁取部材（６）は、図２に示すように、断面略コの字形状に形成されて、蓋本体部（５）の周縁部の下面から側面を経て上面にかけて覆いうるものとなされている。
【００２８】
次に、図６〜図８及び図２に、第３発明の浴槽蓋（１）の一実施形態を示す。これらの図において、（５）は蓋本体部、（６）は縁取部材である。なお、図６におけるＥ−Ｅ線の断面図は、前出の図２と同一である。
【００２９】
図２に示すように、蓋本体部（５）は、互いに離間して平行状に配置された上下２枚の透明合成樹脂板（２）（３）と、これら一対の透明合成樹脂板（２）（３）の間にこれらを連結する態様で一体成形された平行状の多数の透明隔壁（４）…とを備えてなる。この蓋本体部（５）の内部は、これら透明隔壁（４）…により多数の平行する中空部（１０）…に仕切られている。本実施形態の蓋本体部（５）は、押出成形によって透明合成樹脂板（２）（３）と平行状の多数の透明隔壁（４）…とが一体成形されたものである。このような押出成形によって得られた中空成形体を平面視略矩形状に切り出すと共に、その四隅部のうち隣り合う二箇所を曲線的に切り出すことによって、前記蓋本体部（５）が製作される（図１参照）。なお、本実施形態では、透明合成樹脂板（２）（３）、透明隔壁（４）…は、いずれも着色されている（勿論透明性は維持されている）のでカラフルであり、優れた意匠性を付与できる。
【００３０】
図７、８に示すように、前記蓋本体部（５）の開口両端面には、即ち中空部（１０）…の開口両端面には、封止シート材（１５）が接合されて、該開口両端面が水密状態に閉塞されている。このように中空部（１０）…の開口両端面が水密状態に閉塞されているので、中空部（１０）…内に水や水蒸気が侵入することが確実に防止され、透明合成樹脂板（２）（３）や隔壁（４）に水滴が付着するようなことがないし、これら（２）（３）（４）に曇りが生じることもない。
【００３１】
前記封止シート材（１５）としては、特に限定されるものではないが、例えば粘着テープ、合成樹脂シート、合成樹脂フィルム等を例示できる。中でも、この封止シート材（１５）は、溶着（融着）により蓋本体部（５）の開口両端面に接合されているのが好ましく、この場合には水密閉塞状態を長期間にわたって確実に保持できるので、浴槽蓋（１）としての耐久性を一層向上できる利点がある。前記封止シート材（１５）の溶着（融着）は、超音波溶接（溶着）又は高周波溶接（溶着）により行われるのが好ましく、この場合にはより短時間で確実に水密封止できるので生産効率が向上され、これにより低コストで高品質の浴槽蓋（１）が提供される。封止シート材（１５）を構成する合成樹脂としては、特に限定されないが、蓋本体部（５）を構成する合成樹脂と同一又は同種の合成樹脂を用いるのが、より大きい接合強度を確保できる点で、好ましい。なお、前記封止シート材（１５）の厚さは、特に限定されない。
【００３２】
前記蓋本体部（５）の周縁部には、該周縁部の下面から側面を経て上面にかけて覆う態様で軟質材からなる縁取部材（６）が接合一体化されている。即ち、前記縁取部材（６）は、図２に示すように、断面略コの字形状に形成されて、蓋本体部（５）の周縁部の下面から側面を経て上面にかけて覆いうるものとなされている。また、前記蓋本体部（５）の開口両端面に接合された封止シート材（１５）の両端部は、蓋本体部（５）の上面、下面からいずれも外方に突出するように構成されており、該突出両端部がいずれも前記縁取部材（６）の内側曲がり部に設けられた凹部（４０）に嵌まり込んでいる。このような嵌合構造によって縁取部材（６）の抜け止め防止を図ることができる。
【００３３】
図９、図１０及び図２に、第４発明の浴槽蓋（１）の一実施形態を示す。これらの図において、（５）は蓋本体部、（６）は縁取部材である。なお、図９におけるＧ−Ｇ線の断面図は、前出の図２と同一である。
【００３４】
図２に示すように、蓋本体部（５）は、互いに離間して平行状に配置された上下２枚の透明合成樹脂板（２）（３）と、これら一対の透明合成樹脂板（２）（３）の間にこれらを連結する態様で一体成形された平行状の多数の透明隔壁（４）…とを備えてなる。この蓋本体部（５）の内部は、これら透明隔壁（４）…により多数の平行する中空部（１０）…に仕切られている。本実施形態の蓋本体部（５）は、押出成形によって透明合成樹脂板（２）（３）と平行状の多数の透明隔壁（４）…とが一体成形されたものである。このような押出成形によって得られた中空成形体を平面視略矩形状に切り出すと共に、その四隅部のうち隣り合う二箇所を曲線的に切り出すことによって、前記蓋本体部（５）が製作される（図１参照）。なお、本実施形態では、透明合成樹脂板（２）（３）、透明隔壁（４）…は、いずれも着色されている（勿論透明性は維持されている）のでカラフルであり、優れた意匠性を付与できる。
【００３５】
前記蓋本体部（５）の周縁部には、該周縁部の下面から側面を経て上面にかけて覆う態様で軟質材からなる縁取部材（６）が接合一体化されている。即ち、前記縁取部材（６）は、図２に示すように、断面略コの字形状に形成されて、蓋本体部（５）の周縁部の下面から側面を経て上面にかけて覆いうるものとなされている。
【００３６】
更に、図９、１０に示すように、前記上側の透明合成樹脂板（２）における中空部（１０）の長さ方向の両端部には、各中空部（１０）に連通する態様で円形形状の通水孔（２１）…が設けられている。このような通水孔（２１）…を介して各中空部（１０）が外気に連通するものとなされているから、透明合成樹脂板（２）（３）や隔壁（４）に曇りが生じることを防止できる。また、通水孔（２１）…が中空部（１０）の長さ方向の両端部に設けられているから、浴槽蓋（１）を立て掛けた際には、中空部（１０）内に侵入していた水が外部に排除される。このような形態の通水孔（１０）は、下側の透明合成樹脂板（３）に設けられていても良いし、或いは両方の透明合成樹脂板（２）（３）に設けられていても良い。また、通水孔（１０）の形状は特に限定されない。
【００３７】
この発明において、前記透明合成樹脂板（２）（３）、隔壁（４）を構成する合成樹脂としては、特に限定されるものではないが、例えばポリカーボネート、ポリプロピレン、アクリル樹脂等を例示できる。中でも、ポリカーボネートを用いるのが好ましく、この場合には光の透過率がより増大されて透明性を一層向上できると共に、耐衝撃性も向上させることができる。
【００３８】
前記透明合成樹脂板（２）（３）は、上記実施形態のように平板状であっても良いし、或いは波板状であっても良い。
【００３９】
前記縁取部材（６）は軟質材からなる。この軟質材としては、例えばゴム、軟質樹脂等を例示できる。前記軟質樹脂としては、例えば軟質塩化ビニル樹脂、熱可塑性エラストマー等が挙げられる。これらの中でも、熱可塑性エラストマーを用いるのが好ましく、この場合には縁取部材（６）が圧縮弾性変形しやすいものとなるので、本浴槽蓋（１）を持ち上げたりした際に例えば浴槽室の内壁面に接触させるようなことがあってもこの内壁面を傷付けることを防止できるし、本浴槽蓋（１）を落下させた場合にも蓋本体部（５）の割れ、破損等の損傷の発生を効果的に防止できる。中でも、縁取部材（６）はスチレン系熱可塑性エラストマーからなるのがより好ましく、これにより上記効果をより確実に享受できるものとなる。
【００４０】
上記実施形態では、縁取部材（６）は不透明に構成されているが、勿論透明に構成されていても良い。ただ、縁取部材（６）が不透明に構成されている場合には、この縁取部材（６）の不透明性と、蓋本体部（５）を構成する透明合成樹脂板（２）（３）の透明性とのコントラストが強く現出されて、意匠としての美麗さ及び斬新性を一層向上できる利点があるので、縁取部材（６）は不透明に構成されるのが好ましい。
【００４１】
また、上記実施形態では、隔壁（４）…が透明合成樹脂板（２）（３）に対して略直交する態様（直交態様を含む）で一体成形された構成を採用しているが、特にこのような形態に限定されるものではない。例えば、図１１に示すように、隔壁（４）…が透明合成樹脂板（２）（３）に対して斜交状態で連結された構成を採用しても良い。ただ、略直交する態様を採用した場合には浴槽蓋（１）としての強度を一層向上させることができるので、隔壁（４）…は透明合成樹脂板（２）（３）に対して略直交する態様（直交態様を含む）で一体成形されているのが好ましい。
【００４２】
また、上記実施形態では、上下２枚の透明合成樹脂板（２）（３）が平行状の多数の透明隔壁（４）…によって連結された構成が採用されているが、特に２枚の透明合成樹脂板を用いた構成に限定されるものではない。例えば、図１２（イ）（ロ）に示すように、相互に離間して平行状に配置された３枚の透明合成樹脂板（２）（２０）（３）が、隣り合う合成樹脂板の間において平行状の多数の透明隔壁（４）…によって連結された構成を採用しても良い。即ち、２段積層構成を採用しても良い。勿論、３段以上の多段構成としても良いことは言うまでもない。なお、図１２（イ）では、上段側の隔壁（４）と下段側の隔壁（４）とが左右方向の同一位置に配置されており、図１２（ロ）では、上段側の隔壁（４）と下段側の隔壁（４）とが左右方向に所定距離ずらして配置されている。強度面からは、図１２（イ）の形態を採用するのが好ましい。
【００４３】
また、上記実施形態の浴槽蓋は、図１３に示すように、２枚の浴槽蓋（１）（１）を突き合わせて浴槽の上面に配置する組蓋タイプに構成されているが、特にこのような形態に限定されるものではなく、例えば３枚以上からなる組蓋タイプに構成されていても良いし、或いは組蓋タイプではなく、１枚もの（１枚で浴槽の上面を覆うタイプ）に構成されていても良い。
【００４４】
【発明の効果】
請求項１、３、４、５に係る浴槽蓋によれば、蓋本体部を構成する合成樹脂板が透明であるから、浴槽上面に被せた状態で浴槽内を十分に視認することができる。また、透明合成樹脂板を用いているから、透明感があって意匠としての美しさを付与できるのは勿論のこと、本浴槽蓋を特に斜め上方から見た際に隔壁も外観されるものとなって、これにより十分な奥行感、立体感が十分に付与されて美麗かつ斬新な意匠性を付与できると共に、見る角度によって奥行感が漸次変化するので非常に興趣性のある意匠を構成することができ、これら作用が相俟って美麗かつ斬新で興趣性のある意匠を付与できる。また、２枚の透明合成樹脂板が平行状の隔壁によって連結された簡単な構成であると共に、これらが押出による一体成形で製作されるので、製造効率を向上できるし、製作コストも低減できる利点がある。また、２枚の透明合成樹脂板が平行状の多数の隔壁によって連結された構成であるので、浴槽蓋全体として十分な強度を確保できる。更に、本浴槽蓋では、汚れが付着した際の清掃、除去をスムーズに行い得る。また、請求項１、３、４の発明では、隔壁により仕切られた中空部内に水や水蒸気が侵入しないような構成が採用されているので、透明合成樹脂板や隔壁に水滴が付着したり、曇りを生じるようなことがなく、十分な視認性を確保できる。また、請求項５の発明では、各中空部内に侵入した水や水蒸気を外に逃がすための通水孔が設けられているので、透明合成樹脂板や隔壁に曇りを生じるようなことがなく十分な視認性を確保できる。
【００４５】
請求項２に係る発明によれば、上記諸効果に加えて、接合耐久性をより向上できる利点がある。
【００４６】
請求項６に係る発明によれば、上記諸効果に加えて、透明感がさらに向上すると共に、縁取部材の不透明性と、蓋本体部を構成する透明合成樹脂板の透明性とのコントラストが強く現出されて、意匠としての美麗さ及び斬新性を一層向上できる。
【００４７】
請求項７に係る発明によれば、上記諸効果に加えて、透明性を一層向上できると共に、耐衝撃性もさらに向上させることができる。
【００４８】
請求項８に係る発明によれば、上記諸効果に加えて、素材として熱可塑性エラストマーを用いることで、縁取部材が圧縮弾性変形しやすいものとなる。従って、例えば浴槽蓋を浴槽室内壁面に接触させるようなことがあっても壁面を傷付けることを防止できるし、本浴槽蓋を落下させた場合にも蓋本体部の割れ、破損等の損傷の発生を効果的に防止できる。
【００４９】
請求項９に係る発明によれば、上記諸効果に加えて、浴槽蓋としての強度を一層向上させることができる。
【図面の簡単な説明】
【図１】第１発明の浴槽蓋の一実施形態を示す斜視図である。
【図２】図１におけるＡ−Ａ線の断面図である（図３におけるＣ−Ｃ線の断面図、図６におけるＥ−Ｅ線の断面図、図９におけるＧ−Ｇ線の断面図である）。
【図３】第２発明の浴槽蓋の一実施形態を示す斜視図である。
【図４】図３におけるＢ−Ｂ線の断面図である。
【図５】図３に示す浴槽蓋のコーナー部を一部を切り欠いて示す斜視図である。
【図６】第３発明の浴槽蓋の一実施形態を示す斜視図である。
【図７】図６におけるＤ−Ｄ線の断面図である。
【図８】図６に示す浴槽蓋のコーナー部を一部を切り欠いて示す斜視図である。
【図９】第４発明の浴槽蓋の一実施形態を示す斜視図である。
【図１０】図９におけるＦ−Ｆ線の断面図である。
【図１１】隔壁による連結態様の変形例を示す断面図である。
【図１２】（イ）（ロ）いずれも蓋本体部の変形例を示す断面図である。
【図１３】この発明の浴槽蓋の配置形態の一例を示す平面図である。
【符号の説明】
１…浴槽蓋
２…透明合成樹脂板
３…透明合成樹脂板
４…隔壁
５…蓋本体部
６…縁取部材
７…充填シール部
１０…中空部
１０ａ…中空部の端部
１５…封止シート材
２０…透明合成樹脂板
２１…通水孔
【図１】
2004041408.tif 000003
【図２】
2004041408.tif 000004
【図３】
2004041408.tif 000005
【図４】
2004041408.tif 000006
【図５】
2004041408.tif 000007
【図６】
2004041408.tif 000008
【図７】
2004041408.tif 000009
【図８】
2004041408.tif 000010
【図９】
2004041408.tif 000011
【図１０】
2004041408.tif 000012
【図１１】
2004041408.tif 000013
【図１２】
2004041408.tif 000014
【図１３】
2004041408.tif 000015